(57)【要約】      （修正有）【課題】ネックレスの留め金を所定位置に確実に固定するためのネックレス用固定具の提供。【解決手段】ネックレス用固定具２は、洋服を挟むことができるように、全体的にクリップ状形態をなし、互いに対向して洋服を挟む第１挟持部分４と第２挟持部分６と、これら第１挟持部分と第２挟持部分との間に延びる連結部８と、この連結部に設けられた、第１挟持部分と第２挟持部分を開閉可能にするヒンジ部分１０と、チェーンを取付けるためのチェーン取付部１２とを有し、第１挟持部分の対向部分は磁力のある素材で構成され、また、第２把持部分の対向部分は磁力によって引きつけられる材料によって構成されている。【選択図】図１
0003113686.tif 000002
【実用新案登録請求の範囲】
【請求項１】
ネックレスの留め金を所定位置に固定するためのネックレス用固定具であって、
洋服を挟むことができるように、全体的にクリップ状形態をなし、
互いに対向して洋服を挟む第１挟持部分と第２挟持部分と、これら第１挟持部分と第２挟持部分との間に延びる連結部と、この連結部に設けられた、前記第１挟持部分と前記第２挟持部分を開閉可能にするヒンジ部分と、チェーンを取付けるためのチェーン取付部とを有し、前記第１挟持部分の対向部分は磁力のある素材で構成され、また、前記第２把持部分の対向部分は磁力によって引きつけられる材料によって構成されている、ことを特徴とするネックレス用固定具。
【請求項２】
ネックレスの留め金を所定位置に固定するためのネックレス用固定具であって、
洋服を挟むことができるように、全体的にクリップ状形態をなし、
互いに対向して洋服を挟む第１挟持部分と第２挟持部分と、これら第１挟持部分と第２挟持部分との間に延びる連結部と、この連結部に設けられた、前記第１挟持部分と前記第２挟持部分を開閉可能にするヒンジ部分と、チェーンを取付けるためのチェーン取付部とを有し、前記第１挟持部分及び前記第２挟持部分のそれぞれの対向部分は、互いに引きつけ合う磁力のある素材で構成されている、ことを特徴とするネックレス用固定具。
【請求項３】
前記ヒンジ部分は、前記第１挟持部分と前記第２挟持部分とを互いに向けて付勢する付勢手段を有する、ことを特徴とする請求項１又は２に記載のネックレス用固定具。
【請求項４】
前記第１挟持部分及び前記第２挟持部分の一方は、その他方に向かって延びる針部分を有し、また、前記他方の前記対向部分には、前記第１挟持部分と前記第２挟持部分とが閉じた状態において、前記針部分を受入れる穴が形成されている、ことを特徴とする請求項１〜３のいずれか１項に記載のネックレス用固定具。
【請求項５】
前記穴内には、前記針部分を刺すことができる材料が設けられている、ことを特徴とする請求項４に記載のネックレス用固定具。
【請求項６】
一端部が前記チェーン取付部に取付られ、また、他端部に、ネックレスの留め金を係止することができる係止具が設けられた鎖を有する、ことを特徴とする請求項１〜５のいずれか１項に記載のネックレス用固定具。
【請求項７】
前記鎖は、長さを調節することができるアジャスタを有し、前記アジャスタは、内面が前記鎖と摩擦係合する、前記鎖を通すための貫通孔を有し、前記鎖の中間部分は前記貫通孔の一方の側からループ状に延び、また、前記鎖の両端部はそれぞれ、前記貫通孔の他方の側に延びており、前記鎖の長さは、前記ループ状部分又は前記端部を引くことにより調節可能である、ことを特徴とする請求項６に記載のネックレス用固定具。
【請求項８】
前記アジャスタ及び前記鎖は、磁力によって引きつけられない素材で構成されている、ことを特徴とする請求項７に記載のネックレス用固定具。
【請求項９】
前記チェーン取付部は、前記ネックレスの留め金を係止することができるように環状である、ことを特徴とする請求項１〜８のいずれか１項に記載のネックレス用固定具。
【請求項１０】
前記連結部は、前記第１把持部分と第２把持部分との間にＵ字状をなして延び、前記チェーン取付部は、前記Ｕ字状連結部の曲がり部に設けられている、ことを特徴とする請求項１〜９のいずれか１項に記載のネックレス用固定具。
【請求項１１】
ネックレスの留め金を所定位置に固定するためのネックレス用固定具であって、
洋服を挟むことができるように、全体的にクリップ状形態をなし、
互いに対向して洋服を挟む第１挟持部分と第２挟持部分と、これら第１挟持部分と第２挟持部分との間に延びる連結部と、この連結部に設けられた、前記第１挟持部分と前記第２挟持部分を開閉可能にするヒンジ部分と、チェーンを取付けるためのチェーン取付部とを有し、前記第１挟持部分は前記第２挟持部分に向かって延びる針部分を有し、また、前記第２挟持部分の前記対向部分は、前記第１挟持部分と前記第２挟持部分とが閉じた状態において前記針部分を受入れ可能な穴が形成され、又は、前記針を刺すことができる素材で構成されており、更に、前記ヒンジ部分は、前記第１挟持部分と前記第２挟持部分とを互いに向けて付勢する付勢手段を有する、ことを特徴とするネックレス用固定具。
【考案の詳細な説明】
【技術分野】
【０００１】
本考案は、ネックレスの留め金を所定位置に固定するためのネックレス用固定具であって、より詳細には、ネックレスのチェーンに取付られた引き輪式留め金等の金具部分が、前側にずれないように、ネックレスのチェーンを衣服に固定するためのネックレス用固定具に関する。
【背景技術】
【０００２】
長さの短いネックレスの場合にはチェーンに留め金が取付けられている。ネックレスを着用する場合にはこの留め金を外してチェーンを首のまわりに装着し、この留め金は首の後側、つまり、見えないところに隠す。
しかしながら、装着者の動きによって、この留め金が前側にずれてしまう場合があり、しばらくして、鏡を見てそれに気が付く場合がある。留め金が前側にずれてしまうと美しくなく、せっかくのネックレスが台無しになってしまうという問題がある。
これを防止するものとして、ネックレスチェーンの先端に錘をつけて、首の後側に垂らすようになったネックレスが販売されている。
尚、本考案に関連する文献はない。
【考案の開示】
【考案が解決しようとする課題】
【０００３】
しかし、錘を有する上記従来のネックレスにおいても、動きが激しいと、留め金が前側にずれてしまい、上記問題は未だ解決されていない。
そこで、本考案の目的は、ネックレスの留め金を所定位置に確実に固定するためのネックレス用固定具を提供することにある。
【課題を解決するための手段】
【０００４】
上記目的は、本考案第１の観点によれば、ネックレスの留め金を所定位置に固定するためのネックレス用固定具であって、洋服を挟むことができるように、全体的にクリップ状形態をなし、互いに対向して洋服を挟む第１挟持部分と第２挟持部分と、これら第１挟持部分と第２挟持部分との間に延びる連結部と、この連結部に設けられた、第１挟持部分と第２挟持部分を開閉可能にするヒンジ部分と、チェーンを取付けるためのチェーン取付部１２とを有し、第１挟持部分の対向部分は磁力のある素材で構成され、また、第２把持部分の対向部分は磁力によって引きつけられる材料によって構成されている、ことを特徴とするネックレス用固定具によって達成することができる。
【０００５】
また、上記目的は、本考案第２の観点によれば、ネックレスのチェーンを所定位置に固定するためのネックレス用固定具であって、洋服を挟むことができるように、全体的にクリップ状形態をなし、互いに対向して洋服を挟む第１挟持部分と第２挟持部分と、これら第１挟持部分と第２挟持部分との間に延びる連結部と、この連結部に設けられた、第１挟持部分と第２挟持部分を開閉可能にするヒンジ部分と、チェーンを取付けるためのチェーン取付部とを有し、第１挟持部分及び第２挟持部分のそれぞれの対向部分は、互いに引きつけ合う磁力のある素材で構成されている、ことを特徴とするネックレス用固定具によっても達成することができる。
【０００６】
上記第１及び第２の観点の本考案のネックレス用固定具はいずれも、チェーン取付部にネックレスの留め金を直接、又は、別の延長用チェーンを介して、ネックレスに取付け、第１把持部分と第２把持部分を開閉して洋服（一般的には、襟ぐりの後部分）を挟んで固定する。本考案においては、第１把持部分と第２把持部分の対向部分が、洋服の素材を通して磁力によって引き付けられるので、洋服をしっかり挟むことができ、ネックレス固定具が洋服からはずれてしまうことがなく、ネックレスの留め金が前側にずれてしまうのを確実に防止することができる。
【０００７】
また、本考案の実施の形態においては、ヒンジ部分は、第１挟持部分と第２挟持部分とを互いに向けて付勢する付勢手段を有する。従って、本考案においては、第１把持部分と第２把持部分の対向部分によって、洋服をよりしっかり挟むことができ、ネックレス固定具が洋服からはずれてしまうのをより確実に防止することができるとともに、ネックレスの留め金が前側にずれてしまうのを確実に防止することができる。
また、本考案の実施の形態においては、第１挟持部分及び第２挟持部分の一方は、その他方に向かって延びる針部分を有し、また、他方の対向部分には、第１挟持部分と第２挟持部分とが閉じた状態において、針部分を受入れる穴が形成されている。従って、針によって洋服を刺しているので、ネックレス固定具が洋服の布地上でずれてしまうのを防止することができるとともに、ネックレスの留め金が前側にずれてしまうのを確実に防止することができる。
【０００８】
更に、本考案の実施の形態においては、穴内には、針部分を刺すことができる材料が設けられているので、穴が比較的大きい場合であっても、針部分を刺すことができる材料によって洋服の布地を針の反対側で支持することができ、第１把持部分と第２把持部分を閉じて針部分を洋服の布地に刺す際に、布地を傷めることがない。
【０００９】
更に、本考案の実施の形態においては、一端部がチェーン取付部に取付られ、また、他端部に、ネックレスの留め金を係止することができる係止具が設けられた鎖を有する。本考案の実施の形態においては、例えば、Ｔシャツの襟ぐりが後側に大きく開いているデザインのものである場合には、ネックレス用固定具を取付ける洋服の部分と、ネックレスの留め具とが離れている。このような場合において、鎖の他端部に設けられた係止具をネックレスの留め金に取付る。これによって、襟ぐりが後側に大きく開いているデザインの洋服においても、ネックレス用固定具によってネックレスのチェーンが後に引っ張られることがなく、チェーンの本来の長さでネックレスを装着することができ、ネックレスのペンダントヘッドの位置を所定の位置に位置させることができる。
【００１０】
更に、本考案の実施の形態によれば、鎖は、長さを調節することができるアジャスタを有し、アジャスタは、内面が鎖と摩擦係合する、鎖を通すための貫通孔を有し、鎖の中間部分は貫通孔の一方の側からループ状に延び、また、鎖の両端部はそれぞれ、貫通孔の他方の側に延びており、鎖の長さは、ループ状部分又は端部を引くことにより調節可能である。本考案の実施の形態においては、鎖は長さを調節することができるアジャスタを有するので、洋服の襟ぐりの開きの大きさによって鎖の長さを調節することができ、ネックレスの留め金が余剰の鎖の長さ分、ずれてしまうのを防止することができ、留め金を首の後側の位置に確実に固定することができる。
【００１１】
更に、本考案の実施の形態においては、アジャスタ及び鎖は、磁力によって引きつけられない素材で構成されているので、鎖がネックレス用固定具の対向部分の磁力によって、鎖やアジャスタが引きつけられて鎖の実質的な長さが短くなることがないので、ネックレス用固定具によってネックレスのチェーンが後に引っ張られることがなく、チェーンの本来の長さでネックレスを装着することができ、ネックレスのペンダントヘッドの位置を所定の位置に位置させることができる。
【００１２】
更に、本考案の実施の形態においては、チェーン取付部は、ネックレスの留め金を係止することができるように環状であるので、襟ぐりの後側部分の開きが小さい場合には、ネックレスの留め金を直接、ネックレス用固定具に取付けて装着することができる。
更に、本考案の実施の形態においては、連結部は、第１把持部分と第２把持部分との間にＵ字状をなして延び、チェーン取付部は、Ｕ字状連結部の曲がり部に設けられている。従って、ネクックレスによってネックレス用固定具が引っ張られたとき、襟ぐり部分を洋服の布地の方向に引っ張るので、ネックレス用固定具で挟んでいる襟ぐりの後側部分が外側にめくれたり、内側に折れたりすることがない。
【００１３】
また、上記目的は、本考案第２の観点によれば、ネックレスのチェーンを所定位置に固定するためのネックレス用固定具であって、洋服を挟むことができるように、全体的にクリップ状形態をなし、互いに対向して洋服を挟む第１挟持部分と第２挟持部分と、これら第１挟持部分と第２挟持部分との間に延びる連結部と、この連結部に設けられた、第１挟持部分と第２挟持部分を開閉可能にするヒンジ部分と、チェーンを取付けるためのチェーン取付部とを有し、第１挟持部分は第２挟持部分に向かって延びる針部分を有し、また、第２挟持部分の対向部分は、第１挟持部分と第２挟持部分とが閉じた状態において針部分を受入れ可能な穴が形成され、又は、針を刺すことができる素材で構成されており、更に、ヒンジ部分は、第１挟持部分と第２挟持部分とを互いに向けて付勢する付勢手段を有する、ことを特徴とするネックレス用固定具によって達成することができる。
【００１４】
上記第３の観点の本考案のネックレス用固定具は、チェーン取付部にネックレスの留め金を直接、又は、別の延長用チェーンを介して、ネックレスに取付け、第１把持部分と第２把持部分を開閉して洋服（一般的には、襟ぐりの後側部分）を挟んで固定する。本考案においては、針部分によって洋服の布地を刺して固定し、また、付勢手段によって、第１把持部分及び第２把持部分によって洋服の布地をしっかりと挟むので、ネックレス固定具が洋服からはずれたり、ずれたりすることがなく、ネックレスの留め金が前側にずれてしまうのを確実に防止することができる。
【考案の効果】
【００１５】
本考案のネックレス用固定具によれば、ネックレスのチェーンを所定位置に確実に固定することができる。
【考案を実施するための最良の形態】
【００１６】
以下、添付の図面を参照しつつ、本考案の実施形態を説明する。
図１〜図３は、本考案の第１の実施の形態にかかるネックレス用固定具を示し、そのうち、図１は、ネックレス用固定具を開いた状態を示し、また、図２は、その閉じた状態を示す。更に図３は、ネックレス用固定具の装着状態を示す。
【００１７】
本第１の実施の形態にかかるネックレス用固定具は、ネックレスの留め金３２を所定位置に固定するためのネックレス用固定具２であって、洋服を挟むことができるように、全体的にクリップ状形態をなし、互いに対向して洋服を挟む第１挟持部分４と第２挟持部分６と、これら第１挟持部分４と第２挟持部分６との間に延びる連結部８と、この連結部８に設けられた、第１挟持部分４と第２挟持部分６を開閉可能にするヒンジ部分１０と、鎖２８を取付けるためのチェーン取付部１２とを有する。
第１把持部分４及び第２把持部分６はそれぞれ、円形の本体部分１４、１６と、第１把持部分４及び第２把持部分６の内側部分であって、互いに対向する対向部分１８、２０とを有する。本第１の実施の形態においては、第１挟持部分４の対向部分１８は磁力のある金属で構成され、また、第２把持部分６の対向部分２０は磁力によって引きつけられる金属によって構成されている。
【００１８】
また、第１把持部分４と第２把持部分６は連結部８によって互いに連結されている。この連結部８は全体的にＵ字形をなしており、その両端部２２、２４がそれぞれ、第１把持部分４と第２把持部分６に固定されている。より詳細には、連結部８のＵ字形の端部２２、２４は、第１把持部分４と第２把持部分６のそれぞれの本体部分１４、１６の外側面の中央部に固定されている。尚、本明細書において、「Ｕ字形」の語は、ネックレス用固定具を側面視したときの形状が、Ｕ字状の他、曲がり部が角張った「コ字形」、全体的に湾曲した「Ｃ字形」、更には、２つ折り形状等、互いに対向している第１把持部分４から第２把持部分６へ途中で曲がって延びる、あらゆる形状を含むものとする。
【００１９】
更に、連結部８は、その途中に、第１挟持部分４と第２挟持部分６を開閉可能にするヒンジ部分１０が設けられている。このヒンジ部分１０は、Ｕ字形の連結部８の中央部の曲がり部の頂点８aから第２挟持部分６側に偏位して設けられており、連結部８は、曲がり部の頂点８aを含む第１連結部分８aと、他方の第２連結部分８ｂとを含む。ヒンジ部分１０は、第１挟持部分４と第２挟持部分６とを互いに向けて付勢する付勢手段を有し、この付勢手段は、具体的には、連結部８の長手方向に延びる板ばね２６である。
また、第１の実施形態にかかるネックレス用固定具２においては、チェーン取付部１２が環状部材で構成されており、具体的には、連結部８の第１連結部分８ｂに、環状部材１２が遊嵌されている。第１の実施形態にかかるネックレス用固定具２は鎖２８を有しており、環状部材１２に鎖２８の一端部が取付られている。また、鎖２８の他端部には、ネックレスの留め金３２を係止することができる係止具、具体的には、引き輪式留め金３０が取付られている。
【００２０】
第１の実施の形態にかかるネックレス用固定具２を使用するには、まず、ネックレス用固定具２の引き輪式留め金３０を、ネックレスの引き輪式留め金３２に引っ掛け、第１把持部分４と第２把持部分６を図１及び図２に示すように開閉して、第１把持部分４と第２把持部分６によって、例えば、Ｔシャツの襟ぐりの後側部分３４を挟む（図３参照）。これによって、ネックレスの留め金３２が前側に移動するのが防止される。
図４は、本考案の第２の実施形態にかかるネックレス用固定具を示す。第２の実施形態のネックレス用固定具に関し、以下、第１の実施形態のものと異なる構造について説明することとし、同様に構成されている部分は、図に第１の実施の形態と同じ符号で示すことによって、詳細な説明は省略する。
【００２１】
第２の実施の形態にかかるネックレス用固定具５０においては、第２把持部分６の対向部分１８、２０には、第１把持部分４の対向部分１８、２０に向かって延びる針部分５２を有する。また、第１把持部分４の対向部分１８、２０が金属製の環状部材５４で構成されている。すなわち、第１把持部分４の対向部分１８、２０の中央に、第１挟持部分４と第２挟持部分６とが閉じた状態において、針部分５２を受入れるための穴５６が形成されている。
第２の実施の形態にかかるネックレス用固定具５０を使用するには、第１把持部分４と第２把持部分６を開閉して、第１把持部分４と第２把持部分６によって、例えば、Ｔシャツの襟ぐりの後側部分３４を針部で刺して挟む。
【００２２】
図５は、本考案の第３の実施形態にかかるネックレス用固定具を示す。
第３の実施形態のネックレス用固定具６０に関し、以下、第１の実施形態のものと異なる構造について説明することとし、同様に構成されている部分は、図に第１の実施の形態と同じ符号で示すことによって、詳細な説明は省略する。
第３の実施形態にかかるネックレス用固定具６０においては、第１及び第２の実施形態における環状部材１２に代えて、連結部８の曲がり部の頂点８aの外面に、チェーン取付部１２としての環状部６２が形成されている。この場合、図１〜図４に示す鎖２８に代えて、図６に示すような、両端に留め金６６、６６を取付けた鎖６４を準備し、一方の留め金６６を環状部６２に、また、他方の留め金６６をネックレスの留め金３２に取付けて使用することができる。また、Ｔシャツの襟ぐりの後側部分３４の開きが小さい場合には、ネックレスの留め金３２を直接、ネックレス用固定具６０の環状部６２に取付て使用してもよい。
【００２３】
更に、図７は、本考案の第４の実施形態にかかるネックレス用固定具を示す。
第４の実施形態のネックレス用固定具７０に関し、以下、第１の実施形態のものと異なる構造について説明することとし、同様に構成されている部分は、図に第１の実施の形態と同じ符号で示すことによって、詳細な説明は省略する。
第４の実施形態にかかるネックレス用固定具は鎖７２を有し、鎖７２は、長さを調節することができるアジャスタ７４を有している。アジャスタ７４は、内面が鎖７２と摩擦係合する、鎖７２を通すための貫通孔７６を有する。鎖７２の中間部分は、図７に示すように、貫通孔７６の一方の側からループ状７２aに延び、また、鎖７２の両端部７２ｂ、７２ｃはそれぞれ、貫通孔７６の他方の側に延びており、鎖７２の長さは、ループ状部分７２a又は端部７２ｂ、７２ｃを引くことにより調節可能である。アジャスタ７４及び鎖７２は、磁力によって引きつけられない素材で構成されていることが望ましい。
【００２４】
上記第１、第２及び第４の実施形態に示すネックレス用固定具２，５０、７０においては、ヒンジ部分１０が連結部８の曲がり部の頂点８aから第２挟持部分６側に偏位したところに位置しているので、装着状態において連結部８に遊嵌された環状部材１２が、ヒンジ部分１０にひっかかることなく、連結部８の曲がり部の頂点８ａに移動可能である。従って、ネクックレスによってネックレス用固定具２、５０が引っ張られたとき、襟ぐり部分を洋服の布地の方向に引っ張るので、ネックレス用固定具で挟んでいる襟ぐりの後側部分が外側にめくれたり、内側に折れたりすることがない。
【００２５】
本考案は、以上の実施の形態に限定されることなく、実用新案登録請求の範囲に記載された考案の範囲内で種々の変更が可能であり、それらも本考案の範囲内に包含されるものであることはいうまでもない。
例えば、上記第１〜第４の実施形態においては、第１挟持部分４の対向部分１８は磁力のある金属で構成され、また、第２把持部分６の対向部分２０は磁力によって引きつけられる金属によって構成されているが、それに代えて、第１挟持部分４及び第２挟持部分６の両対向部分１８、２０が、互いに引きつけ合う磁力のある素材で構成されていてもよい。
上記第１、第２及び第４の実施形態に示すネックレス用固定具２，５０、７０においては、ヒンジ部分１０が連結部８の曲がり部の頂点８aから第２挟持部分６側に偏位したところに位置しているが、ヒンジ部分１０は、第１挟持部分４側に偏位していてもよい。この場合にも、装着状態において連結部８に遊嵌された環状部材１２が、ヒンジ部分１０にひっかかることなく、連結部８の曲がり部の頂点８ａに移動可能である。
【００２６】
また、図４に示す第２の実施形態においては、第１挟持部分４の対向部分１８は磁力のある金属で構成され、また、第２把持部分６の対向部分２０は磁力によって引きつけられる金属によって構成されているが、その逆に、第２挟持部分６の対向部分２０が磁力のある金属で構成され、また、第１把持部分４の対向部分１８が磁力によって引きつけられる金属によって構成されていてもよいことは言うまでもない。
更に、図４に示す第２の実施形態においては、第１挟持部分４の対向部分１８は磁力のある金属で構成され、また、第２把持部分６の対向部分２０は磁力によって引きつけられる金属によって構成されているが、対向部分１８、２０は磁力を有さない素材又は磁力によって引きつけられない素材によって構成されていてもよい。この場合、第１把持部分４及び第２把持部分６は、板ばね２６及び針部分５２によって、洋服にしっかりと固定される。
更に、図４に示す第２の実施形態における針部分５２は、第１挟持部材４側に設けられ、また、環状部材５４が第２挟持部材６側に設けられていてもよいことはいうまでもない。
【００２７】
更に、図４に示す第２の実施の形態において、穴５６内に、針部分５２を刺すことができる材料（例えば、フェルト、スポンジ、発泡材、弾性部材等）が設けられていてもよい（図示せず）。また、図４に示す環状部材５４は設けず、対向部分１８の全体を上記素材で構成してもよい（図示せず）。
更に、図１ないし図７に示された鎖の留め金３０は、引き輪式の留め金であるが、留め金３０は、その他の形式のものであってもよく、例えば、Ｓ次式留め具、バックル式留め具等、ネックレスの留め具に取付けることができるいかなる形式の留め具であってもよい。
更に、本明細書においては、ネックレス用留め具を首の後側の位置で洋服に固定する場合について説明したが、洋服のその他の留めやすい部分に取付けてもよい。
【産業上の利用可能性】
【００２８】
ネックレスの留め金の固定に使用することができる。
【図面の簡単な説明】
【００２９】
【図１】本考案の第１の実施の形態にかかるネックレス用固定具を開いた状態を示す。
【図２】本考案の第１の実施の形態にかかるネックレス用固定具の閉じた状態を示す。
【図３】本考案の第１の実施の形態にかかるネックレス用固定具の装着状態を示す。
【図４】本考案の第２の実施形態にかかるネックレス用固定具を示す。
【図５】本考案の第３の実施形態にかかるネックレス用固定具を示す。
【図６】本考案の第３の実施形態にかかるネックレス用固定具と組み合わせて使用可能な鎖を示す。
【図７】本考案の第４の実施形態にかかるネックレス用固定具を示す。
【符号の説明】
【００３０】
２    ネックレス用固定具
４    第１挟持部分
８    連結部
８a   曲がり部の頂点
１０    ヒンジ部分
１２    チェーン取付部
１８    対向部分
２０    対向部分
２６    板ばね
２８    鎖
３２    ネックレスの留め金
３４    Ｔシャツの襟ぐりの後側部分
５０    ネックレス用固定具
５２    針部分
５６    穴
６０    ネックレス用固定具
６４    鎖
６６    第２挟持部分
７０    ネックレス用固定具
７２    鎖
７２a   ループ状
７４    アジャスタ
【図１】
0003113686.tif 000003
【図２】
0003113686.tif 000004
【図３】
0003113686.tif 000005
【図４】
0003113686.tif 000006
【図５】
0003113686.tif 000007
【図６】
0003113686.tif 000008
【図７】
0003113686.tif 000009